【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
プロセッサおよび前記プロセッサに動作可能に接続されるタッチスクリーン表示デバイスを備えるコンピューティングデバイスによって行われる文字入力方法であって、前記タッチスクリーン表示デバイスは、水平方向に互いに隣接する手書き認識領域およびデジタルインク挿入領域を含む対話式ユーザインタフェースを備え、前記方法は、
前記タッチスクリーン表示デバイスの少なくとも前記手書き認識領域に表示された文字列を、前記プロセッサによって、スクロールし、前記表示された文字列内の第一の文字と前記第一の文字に連続した第二の文字との間の位置を選択する第一スクロールステップであって、前記第一スクロールステップは、前記手書き認識領域に表示された前記文字列の各文字を、前記手書き認識領域内で、前記デジタルインク挿入領域に入るまで移動させることによって、第一方向にスクロールするステップを含む、ステップと、
前記デジタルインク挿入領域に手動で入力された少なくとも１つのデジタルインク入力ストロークを、前記タッチスクリーン表示デバイスによって、検出するステップと、
前記プロセッサによって、手書き認識を使用して、前記少なくとも１つの検出されたデジタルインク入力ストロークを少なくとも１つの認識された文字に変換するステップと、
前記表示された文字列内の前記選択された位置に、前記少なくとも１つの認識された文字を挿入するステップと、
前記手書き認識領域において、前記表示された文字列を、前記プロセッサによって自動的に、前記第一方向とは反対の第二方向に移動することによって、前記表示された文字列をスクロールし、前記デジタルインク挿入領域に水平方向に隣接する前記手書き認識領域において、前記デジタルインク挿入領域における前記表示された文字列に挿入された前記少なくとも１つの認識された文字の少なくとも一部を表示する、第二スクロールステップと、
前記表示された文字列内の前記位置に、前記検出された少なくとも１つのデジタルインク入力ストロークを挿入し、前記手書き認識領域に挿入され、そして表示された前記少なくとも１つのデジタルインク入力ストロークを、前記手書き認識が完了した後に、前記少なくとも１つの認識された文字に置き換えるステップであって、前記少なくとも1つの挿入された文字は、前記手書き認識領域にタイプセットテキストとして表示される、ステップと
を含む、方法。
【請求項２】
前記第一スクロールステップにおいて、前記タッチスクリーン表示デバイス上に表示された挿入マーカが前記表示された文字列内の前記位置を規定する、請求項１に記載の方法。
【請求項３】
前記挿入マーカは、前記第一スクロールステップ中に、前記手書き認識領域と前記デジタルインク挿入領域との間の境界に静止して配置される、請求項２に記載の方法。
【請求項４】
前記表示された文字列は、複数の単語を含み、前記複数の単語のそれぞれは、少なくとも１文字を含み、前記方法は、
前記第一スクロールステップ中に、前記手書き認識領域に完全に表示されている状態から前記デジタルインク挿入領域に全体が入った各単語を少なくとも部分的に隠しながら、前記手書き認識領域に配置された各単語を表示するステップ
をさらに含む、請求項１に記載の方法。
【請求項５】
前記表示された文字列は、複数の単語を含み、前記複数の単語のそれぞれは、少なくとも１文字を含み、
前記第一スクロールステップにおいて、前記表示された文字列内の前記選択された位置は、前記手書き認識領域に少なくとも部分的に表示された前記複数の単語の最後の単語の直後に続く位置である、請求項１に記載の方法。
【請求項６】
前記第二スクロールステップは、前記少なくとも１つのデジタルインク入力ストロークの前記検出の後に自動的に行われる、請求項１に記載の方法。
【請求項７】
前記第二スクロールステップは、前記手書き認識が完了したことを検出した際に自動的に開始される、請求項６に記載の方法。
【請求項８】
前記手書き認識を使用する前記変換ステップが行われているときに、前記デジタルインク挿入領域において、前記検出された少なくとも１つのデジタルインク入力ストロークを表示するステップ
をさらに含む、請求項１に記載の方法。
【請求項９】
前記第二スクロールステップは、
前記手書き認識領域において前記表示された文字列をスクロールし、前記手書き認識領域において前記手書き認識を使用する前記変換ステップが行われているときに、前記挿入された少なくとも１つのデジタルインク入力ストロークの少なくとも一部を表示させるステップと
を含む、請求項１に記載の方法。
【請求項１０】
前記第二スクロールステップの後に、前記第二スクロールステップと同じ方向に第三スクロールを行い、前記手書き認識領域において、前記表示された文字列内の挿入された前記少なくとも１つの認識された文字の直後に続く第二の文字を表示するステップ
を含む、請求項１に記載の方法。
【請求項１１】
コンピュータ読み取り可能なプログラムコードを記憶した、非一時的なコンピュータ読み取り可能な媒体であって、前記コンピュータ読み取り可能なプログラムコードは、タッチスクリーン表示デバイスを備えるコンピューティングデバイスにおいて文字入力方法を実施するように、プロセッサによって、実行されるように適合され、前記タッチスクリーン表示デバイスは、水平方向に互いに隣接する手書き認識領域およびデジタルインク挿入領域を含む対話式ユーザインタフェースを備え、前記文字入力方法は、
前記タッチスクリーン表示デバイスの少なくとも前記手書き認識領域に表示された文字列を、前記プロセッサによって、スクロールし、前記表示された文字列内の第一の文字と前記第一の文字に連続した第二の文字との間の位置を選択する第一スクロールステップであって、前記第一スクロールステップは、前記手書き認識領域に表示された前記文字列の各文字を、前記手書き認識領域内で、前記デジタルインク挿入領域に入るまで移動させることによって、第一方向にスクロールするステップを含む、ステップと、
前記デジタルインク挿入領域に手動で入力された少なくとも１つのデジタルインク入力ストロークを、前記タッチスクリーン表示デバイスによって、検出するステップと、
前記プロセッサによって、手書き認識を使用して、前記少なくとも１つの検出されたデジタルインク入力ストロークを少なくとも１つの認識された文字に変換するステップと、
前記表示された文字列内の前記選択された位置に、前記少なくとも１つの認識された文字を挿入するステップと、
前記手書き認識領域において、前記表示された文字列を、前記プロセッサによって自動的に、前記第一方向とは反対の第二方向に移動することによって、前記表示された文字列をスクロールし、前記デジタルインク挿入領域に水平方向に隣接する前記手書き認識領域において、前記デジタルインク挿入領域における前記表示された文字列に挿入された前記少なくとも１つの認識された文字の少なくとも一部を表示する、第二スクロールステップと、
前記表示された文字列内の前記位置に、前記検出された少なくとも１つのデジタルインク入力ストロークを挿入し、前記手書き認識領域に挿入され、そして表示された前記少なくとも１つのデジタルインク入力ストロークを、前記手書き認識が完了した後に、前記少なくとも１つの認識された文字に置き換えるステップであって、前記少なくとも1つの挿入された文字は、前記手書き認識領域にタイプセットテキストとして表示される、ステップと
を含む、非一時的なコンピュータ読み取り可能な媒体。
【請求項１２】
文字を入力するためのシステムであって、前記システムは、
手書き認識領域および文字入力を受け取るためのデジタルインク挿入領域含む対話式ユーザインタフェースを備えるタッチスクリーン表示デバイスであって、前記手書き認識領域および前記デジタルインク挿入領域は、互いに水平方向に隣接する、タッチスクリーン表示デバイスと、
指示を含む非一時的なコンピュータ読み取り可能な媒体と、
前記タッチスクリーンおよび前記非一時的なコンピュータ読み取り可能な媒体に動作可能に接続され、前記指示を実行して、動作を行うプロセッサと
を備え、前記動作は、
前記タッチスクリーン表示デバイスの少なくとも前記手書き認識領域に表示された文字列を、前記プロセッサによって、スクロールし、前記表示された文字列内の第一の文字と前記第一の文字に連続した第二の文字との間の位置を選択する第一スクロールステップであって、前記第一スクロールステップは、前記手書き認識領域に表示された前記文字列の各文字を、前記手書き認識領域内で、前記デジタルインク挿入領域に入るまで移動させることによって、第一方向にスクロールするステップを含む、ステップと、
前記デジタルインク挿入領域に手動で入力された少なくとも１つのデジタルインク入力ストロークを、前記タッチスクリーン表示デバイスによって、検出するステップと、
前記プロセッサによって、手書き認識を使用して、前記少なくとも１つの検出されたデジタルインク入力ストロークを少なくとも１つの認識された文字に変換するステップと、
前記表示された文字列内の前記選択された位置に、前記少なくとも１つの認識された文字を挿入するステップと、
前記手書き認識領域において、前記表示された文字列を、前記プロセッサによって自動的に、前記第一方向とは反対の第二方向に移動することによって、前記表示された文字列をスクロールし、前記デジタルインク挿入領域に水平方向に隣接する前記手書き認識領域において、前記デジタルインク挿入領域における前記表示された文字列に挿入された前記少なくとも１つの認識された文字の少なくとも一部を表示する、第二スクロールステップと、
前記表示された文字列内の前記位置に、前記検出された少なくとも１つのデジタルインク入力ストロークを挿入し、前記手書き認識領域に挿入され、そして表示された前記少なくとも１つのデジタルインク入力ストロークを、前記手書き認識が完了した後に、前記少なくとも１つの認識された文字に置き換えるステップであって、前記少なくとも1つの挿入された文字は、前記手書き認識領域にタイプセットテキストとして表示される、ステップと
を含む、システム。